(57)【要約】【課題】コンプレッサの運転状況や運転に伴う各部の正異常に関する情報やメンテナンスに関する情報を筐体表面に設けた操作パネルのタッチ動作によって具体的に、かつ詳細に画面表示できるタッチ動作に基づくコンプレッサ運転正異常モニタ方法を提供する。【解決手段】コンプレッサの筐体４の表面に配置される操作パネル１には各種の情報を表示したタッチパネル部２が設けられ、この任意の箇所をタッチすることによりその情報が画面表示される。また、異常や保守の必要時にはその内容が自動表示され、その箇所をタッチすることによりその場所や処置内容が詳しく画面表示される。これにより、コンプレッサを常時正常状態に保持することができる。【選択図】図１
2007113488.tif 000002
【特許請求の範囲】
【請求項１】
コンプレッサの筐体表面に配置される操作パネルによりコンプレッサの運転の正異常や運転履歴や異常内容の明示及び処置を画面表示してコンプレッサの正常化を図るためのモニタ方法であって、該方法は、オペレータの所望する情報画面をパネルタッチ動作によって画面表示する第１のステップと、コンプレッサの主構成部の正異常をタイムリーに画面上に表示する第２のステップと、異常発生時においてパネルタッチ動作によってその具体的な場所や内容及び処置方法を画面表示する第３のステップとからなり、コンプレッサの正常運転を保持することを特徴とするタッチ動作に基づくコンプレッサ運転正異常モニタ方法。
【請求項２】
前記第１のステップにおける情報画面が、運転画面、運転状況画面、配管図、メンテナンス説明画面、サンプル表示画面、運転状態等を表示するグラフ画面、スケジュール設定画面、アラーム履歴表示画面及びコンプレッサ運転に必要又は関連等する各種情報表示画面とからなることを特徴とする請求項１に記載のタッチ動作に基づくコンプレッサ運転正異常モニタ方法。
【請求項３】
前記運転状況画面が、運転時間、目標圧力、配管圧力、吐出温度、水交換設定時間、水交換残り時間等とからなることを特徴とする請求項２に記載のタッチ動作に基づくコンプレッサ運転正異常モニタ方法。
【請求項４】
前記メンテナンス説明画面が、水フィルタ交換、エアクリーナ交換、モータグリス補充等の通常メンテナンスに関するものと、インバータ異常、吐出温度異常、圧力センサ異常、冷却水断水、潤滑水断水、オーバフロー、回転数低下異常等に関する異常内容に関するものからなることを特徴とする請求項２に記載のタッチ動作に基づくコンプレッサ運転正異常モニタ方法。
【発明の詳細な説明】
【技術分野】
【０００１】
本発明は、自動的又は操作パネルのパネルタッチ動作によってコンプレッサの運転の正異常及びコンプレッサが必要とする情報や異常時の処置等が画面に詳細に表示されてコンプレッサの常時正常運転を保持するためのタッチ動作に基づくコンプレッサ運転正異常モニタ方法に関する。
【背景技術】
【０００２】
コンプレッサの概要構造としては図１２に示されるものが通常採用されている。即ち、圧縮機、エアクリーナ、吸気容量調整弁、レシーバタンク、逆止弁つき保圧弁、ドライヤ、水フィルタ、クーラ等からなる。これ等の各構成部は水や空気や圧縮空気を流す配管により連結されている。
以上の各構成部からなるコンプレッサの正異常をオペレータが認識してその正常化を図るために図１３（ａ）に示すようにコンプレッサの筐体４の表面には操作パネル１ａが設けられている。この操作パネル１ａとしては各種のものがあるが、例えば、図１３（ｂ）に示すように、運転時の電流や圧力を表示するゲージ５や、表示内容を切替えるためのボタン６や異常リセット表示切替ボタン７や異常表示のランプ８やメンテナンス表示ランプ９や運転,停止用ボタン１０等が配置されている。しかしながら、従来の操作パネル１ａによる各表示は、その内容をオペレータに知らせるための表示情報に関するものであり、その具体的内容や処置方法については表示されず、その表示情報に基づいてオペレータ自体が調査して対処するものであった。また、オペレータが所望する各種の運転情報についても詳細に表示されるものでなかった。
また、操作パネルを表示している公知技術の１つとして「特許文献１」が挙げられる。
【特許文献１】特開２００３−２５４２５４号（図１）
【発明の開示】
【発明が解決しようとする課題】
【０００３】
「特許文献１」の「特開２００３−２５４２５４号」の「空気圧縮機」は、電源ＯＮスイッチ（９０）と電源ＯＦＦスイッチ（９２）と、タンク内の圧力変化を表示する圧力表示用赤色ＬＥＤ（（８８１）〜（８８６））と、通電の有無を表示する通電表示用赤色ＬＥＤ（８８７）と、運転状態を表示する運転表示用緑色ＬＥＤ（８８８）等が設けられるもので、コンプレッサの運転状況を認識することはできるが、その具体的の内容やオペレータが知りたい情報内容や異常時の具体的な内容や処置について表示するものではなく、かつこれ等の情報表示が画面により明確に表示されるものは従来技術では見当らなかった。
異常時等においてはその処置を迅速に行うことが必要であるが、従来技術では具体的処置が迅速にできない問題点があった。
また、異常が発生していなくてもコンプレッサの運転状況をオペレータが所望する時期等において正確に知るシステムがコンプレッサの正常運転に不可欠であるが、従来技術ではこれに対応するものはなかった。
【０００４】
本発明は、以上の事情に鑑みて発明されたものであり、コンプレッサの運転状態をオペレータの所望する時期に詳細に知ることができると共にメンテナンス内容が詳しく表示され、かつ異常時の内容やその処置が詳しく表示され、それ等がすべて操作パネル上に画面表示することができるタッチ動作に基づくコンプレッサ運転正異常モニタ方法を提供することを目的とする。
【課題を解決するための手段】
【０００５】
本発明は、以上の目的を達成するために、請求項１の発明は、コンプレッサの筐体表面に配置される操作パネルによりコンプレッサの運転の正異常や運転履歴や異常内容の明示及び処置を画面表示してコンプレッサの正常化を図るためのモニタ方法であって、該方法は、オペレータの所望する情報画面をパネルタッチ動作によって画面表示する第１のステップと、コンプレッサの主構成部の正異常をタイムリーに画面上に表示する第２のステップと、異常発生時においてパネルタッチ動作によってその具体的な場所や内容及び処置方法を画面表示する第３のステップとからなり、コンプレッサの正常運転を保持することを特徴とする。
【０００６】
また、請求項２の発明は、前記第１のステップにおける情報画面が、運転画面、運転状況画面、配管図、メンテナンス説明画面、サンプル表示画面、運転状態等を表示するグラフ画面、スケジュール設定画面、アラーム履歴表示画面及びコンプレッサ運転に必要又は関連等する各種情報表示画面とからなることを特徴とする。
【０００７】
また、請求項３の発明は、前記運転状況画面が、運転時間、目標圧力、配管圧力、吐出温度、水交換設定時間、水交換残り時間等とからなることを特徴とする。
【０００８】
また、請求項４の発明は、前記メンテナンス説明画面が、水フィルタ交換、エアクリーナ交換、モータグリス補充等の通常メンテナンスに関するものと、インバータ異常、吐出温度異常、圧力センサ異常、冷却水断水、潤滑水断水、オーバフロー、回転数低下異常等に関する保守点検内容に関するものからなることを特徴とする。
【発明の効果】
【０００９】
本発明の請求項１のタッチ動作に基づくコンプレッサ運転正異常モニタ方法によれば、操作パネルに表示されている情報画面をオペレータが所望する時間にタッチすることにより、必要とする運転情報等が画面表示され、コンプレッサの現在の運転状態がわかり、安定、安全運転の続行が確認される。また、正異常には自動的に画面表示され、その場所，内容及び処置が画面表示されるため特別な熟練度を要することなく適切、かつ確実な対応ができ、正常運転を短時間で続行することができる。また、パネルタッチ動作によって情報の画面表示ができ、簡単な操作で迅速な情報入手ができる。
【００１０】
また、本発明の請求項２のタッチ動作に基づくコンプレッサ運転正異常モニタ方法によれば、情報画面の内容が具体的に示され、かつこの内容はコンプレッサの運転上必要なものであり、コンプレッサの運転正常化が確実に行われる。
【００１１】
また、本発明の請求項３のタッチ動作に基づくコンプレッサ運転正異常モニタ方法によれば、運転状況の把握に必要な情報がすべて目視確認でき、安全運転の続行が確実に行われる。
【００１２】
また、本発明の請求項４のタッチ動作に基づくコンプレッサ運転正異常モニタ方法によれば、メンテナンス表示が構成要素の主たるものについて明確に行われ、かつ異常の発生していない時の保守点検についても画面表示され、メンテナンス性の向上と運転正常化の向上が図れる。
【発明を実施するための最良の形態】
【００１３】
以下、本発明のタッチ動作に基づくコンプレッサ運転正異常モニタ方法の実施の形態を図面を参照して詳述する。なお、タッチ動作に基づくコンプレッサ運転正異常モニタ方法は第１のステップから第３のステップまであるが、このステップはこのステップ順に行わなくともよく、所望の情報を直接画面表示し得ることは勿論である。
【００１４】
図１（ａ）はコンプレッサの主構成部のすべてを収納する筐体４を示す。筐体４の図の右上方には操作パネル１が配置される。この操作パネル１には図１（ｂ）に示す情報表示を行うためのタッチパネル部２が設けられている他、コンプレッサの運転、停止、リセットのボタン３等が配置されている。なお、オペレータが必要とする所望情報はタッチパネル部２をタッチするだけで得ることができる。
【００１５】
タッチパネル部２の内容としては図１（ｂ）に示すように、運転画面、運転状況１、運転状況２、配管図、メンテナンス説明画面、サンプリング表示、グラフ１、グラフ２、グラフ３、メモ機能、圧力設定、時間変更、スケジュール、運転設定、営業所案内、ＣＦファイル保存時間等からなるが、これ等に限定するものではない。
【００１６】
次に、タッチパネル部２の内容のいくつかのものの具体的な表示内容を説明する。図２は運転状況画面であり、図示のように運転時間（１６時間）、目標圧力（０．７００ＭＰａ）、配管出力（０．７６９ＭＰａ）吐出温度（６１℃）、水交換設定時間（１００時間）、水交換残り時間（９４時間）等が表示される。なお、メニューをタッチするともとのタッチパネル部２の画面に戻る。また、アラーム履歴をタッチすると図８が表示される。
【００１７】
図３は配管図を示すものであり、水、空気、圧縮空気の流れ状態が画面表示される。
【００１８】
図（４）（ａ），（ｂ）はメンテナンス説明画面であり、図（４）（ｂ）はメンテナンス項目が挙げられ、図４（ａ）は異常項目が挙げられる。また、図４（ａ）及び図４（ｂ）は互いに交換表示が可能である。
【００１９】
図５はサンプリング表示の内容であり、１分間ごとの吐出温度、圧力、電力、電圧、電流等が表示される。
【００２０】
図６はグラフ表示の一例を示すものであり、時間ごとの吐出温度や圧力がグラフ画面として表示される。図６は１分間間隔であるが、これに限定するものではない。
【００２１】
図７はスケジュール設定画面であり運転開始時間と運転終了時間が曜日ごと表示される。
【００２２】
図８はアラーム履歴表示であり、過去に起った異常情報を細かく表示される。例えば、圧力センサ異常が多く発生していることがわかり、吐出温度センサ異常がこれに次いで発生している。
【００２３】
図９（ａ），（ｂ），（ｃ）,（ｄ）は異常発生時の画面表示である。即ち、図９（ａ）は換気扇オーバーロード異常が生じた場合であり、異常発生時には図２の運転状況画面の上に自動的に換気扇オーバーロード異常の画面が表示される。この場合、図９（ａ）の換気扇オーバーロード異常の表示部をタッチすることにより図（９）ｂの画面が表示され、異常箇所が表示される。そこで、この異常表示している部分をタッチすると図９（ｃ）の処置内容が表示され、例えば、サーマルのリセットボタンを押すことが指示され、次画面図９（ｄ）にて操作パネル１のリセットボタンを押すことが指示される。リセット後、再びオーバーロード等により同様なメッセージが表示された場合はサービス工場へ連絡という丁寧な表示もされる。
【００２４】
図１０（ａ）はエアクリーナ交換という保守点検項目が自動表示された場合の一例を示す。この表示箇所をタッチすると図１０（ｂ）の画面が表示され、保守点検すべき場所が表示される。そこでこの保守点検表示をしている部分をタッチすると図１０（ｃ）の画面が表示され、処置（保守）内容が詳細に表示される。また、図１１（ａ）、（ｂ）、（ｃ）、（ｄ）
（ｅ）,（ｆ）,（ｇ）,（ｈ）に示すようにエアクリーナの交換要領が細かく図示されてその保守の確実化を図るようにしている。
【００２５】
以上の説明は、異常や保守や運転状況や履歴について説明したものであるが、情報内容や表示内容は勿論、前記のものに限定するものではない。また、本発明を実施するためのパネル構造やその制御手段については特別なものではなく、比較的安価に実施できる。
【産業上の利用可能性】
【００２６】
本発明は、コンプレッサの内、定置式のものについての利用例を説明したが、コンプレッサについては定置式のものに限定するものではなく、その適用範囲は広い。また、本発明と同一技術的範疇のものをコンプレッサ及びそれ以外の装置に適用してもよく、その利用範囲は広い。
【図面の簡単な説明】
【００２７】
【図１】本発明の操作パネルの適用されているコンプレッサの筐体表面を示す模式的正面図（ａ）と操作パネルに表示されるタッチパネル部を示す正面図（ｂ）。
【図２】タッチパネル部に画面表示される運転状況画面の内容を示す正面図。
【図３】タッチパネル部に画面表示される配管図。
【図４】タッチパネル部に画面表示されるメンテナンス説明画面を示す正面図。
【図５】タッチパネル部に画面表示されるサンプリング表示を示す正面図。
【図６】タッチパネル部に画面表示されるグラフ表示を示す正面図。
【図７】タッチパネル部に画面表示されるスケジュール設定画面を示す正面図。
【図８】タッチパネル部に画面表示されるアラーム履歴表示を示す正面図。
【図９】異常発生時におけるその異常内容の自動表示（ａ）と、その場所の画面表示（ｂ）と、その処置内容の画面表示（ｃ）（ｄ）とを示す正面図。
【図１０】保守点検項目発生時の自動表示（ａ）と、その場所の画面表示（ｂ）と保守（処置）内容の画面表示（ｃ）を示す正面図。
【図１１−１】図１０における保守内容の具体的処置作業を示す説明図（ａ）、（ｂ）、（ｃ）。
【図１１−２】図１０における保守内容の具体的処置作業を示す説明図（ｄ）、（ｅ）、（ｆ）。
【図１１−３】図１０における保守内容の具体的処置作業を示す説明図（ｇ）、（ｈ）。
【図１２】コンプレッサの一般的構成図。
【図１３】従来のコンプレッサの筐体表面に表示される操作パネルを示す正面図（ａ）、（ｂ）。
【符号の説明】
【００２８】
１  操作パネル
２  タッチパネル部
３  運転停止ボタン
４  筐体
【図１】
2007113488.tif 000003
【図２】
2007113488.tif 000004
【図３】
2007113488.tif 000005
【図４】
2007113488.tif 000006
【図５】
2007113488.tif 000007
【図６】
2007113488.tif 000008
【図７】
2007113488.tif 000009
【図８】
2007113488.tif 000010
【図９】
2007113488.tif 000011
【図１０】
2007113488.tif 000012
【図１１−１】
2007113488.tif 000013
【図１１−２】
2007113488.tif 000014
【図１１−３】
2007113488.tif 000015
【図１３】
2007113488.tif 000016
【図１２】
2007113488.tif 000017